(57)【要約】      （修正有）【課題】水難時に簡単に見つけることができる工具ケースを提供する。【解決手段】工具ケース１００は、内側に工具を収納するケース部１１０を備えている。ケース部１１０が、開閉自在に設けられ、ケース部１１０の内側に発泡樹脂で形成した浮力材１２０を有し、浮力材１２０が、ケース部１１０と工具との間に配設されている。ケース部１１０が、防水機能を有したシート状素材により開口１１１を有した袋形状に形成され、開口１１１が、止水ファスナー１１２を有して開閉自在に設けられ、浮力材１２０が、板状に形成されてケース部１１０の内側に配設されている。【選択図】図２
0003232066.tif 000002
【実用新案登録請求の範囲】
【請求項１】
ケース部の内側に工具を収納する工具ケースであって、
前記ケース部が、開閉自在に設けられ、ケース部の内側に発泡樹脂で形成した浮力材を有し、
前記浮力材が、前記ケース部と工具との間に配設されていることを特徴とする工具ケース。
【請求項２】
前記ケース部が、防水機能を有したシート状素材により開口を有した袋形状に形成され、
前記開口が、止水ファスナーを有して開閉自在に設けられ、
前記浮力材が、板状に形成されてケース部の内側に配設されていることを特徴とする請求項１に記載の工具ケース。
【請求項３】
前記ケース部が、一対の肩ベルトを備えていることを特徴とする請求項２に記載の工具ケース。
【請求項４】
前記ケース部が、所定方向において所定方向に対する幅方向および厚み方向と比べて長尺であり、
前記所定方向における中央を基準とした一端側の浮力材の体積が、他端側の浮力材の体積より大きく、
前記ケース部が、前記一端側における外側に反射材を有している構成であることを特徴とする請求項１乃至請求項３のいずれか１つに記載の工具ケース。
【請求項５】
前記ケース部の外側に工具を示すピクトグラムが表示されていることを特徴とする請求項１乃至請求項４のいずれか１つに記載の工具ケース。
【考案の詳細な説明】
【技術分野】
【０００１】
本考案は、ケース部の内側に工具を収納する工具ケースに関する。
【背景技術】
【０００２】
従来、ハンドルが設けられる前板部と、脚部材が設けられる後板部と、前板部の上縁部と後板部の上縁部とを結ぶ上板部と、前板部の下縁部と後板部の下縁部とを結ぶ下板部と、前板部の左縁部と後板部の左縁部とを結ぶ左板部と、前板部の右縁部と後板部の右縁部とを結ぶ右板部と、左板部または右板部に設けられる取り出し用の操作部とを備える工具収納ケースが知られている（例えば、特許文献１）。
【先行技術文献】
【特許文献】
【０００３】
【特許文献１】特開２０１９−８９１９１号公報
【考案の概要】
【考案が解決しようとする課題】
【０００４】
しかしながら、上述した従来の工具収納ケースは、単に、工具を収納する構造であったため、水難時に工具の重さによってその保管に留まり、水の中に沈んだ状態になってしまうため、水難時に人命救助に使用するための工具収納ケースを探すことが困難であるという問題があった。
【０００５】
そこで、本考案は、前述したような従来技術の問題を解決するものであって、すなわち、本考案の目的は、水難時に簡単に見つけることができる工具ケースを提供することである。
【課題を解決するための手段】
【０００６】
本請求項１に係る考案は、ケース部の内側に工具を収納する工具ケースであって、前記ケース部が、開閉自在に設けられ、ケース部の内側に発泡樹脂で形成した浮力材を有し、前記浮力材が、前記ケース部と工具との間に配設されていることにより、前述した課題を解決するものである。
【０００７】
本請求項２に係る考案は、請求項１に記載された工具ケースの構成に加えて、前記ケース部が、防水機能を有したシート状素材により開口を有した袋形状に形成され、前記開口が、止水ファスナーを有して開閉自在に設けられ、前記浮力材が、板状に形成されてケース部の内側に配設されていることにより、前述した課題をさらに解決するものである。
【０００８】
本請求項３に係る考案は、請求項２に記載された工具ケースの構成に加えて、前記ケース部が、一対の肩ベルトを備えていることにより、前述した課題をさらに解決するものである。
【０００９】
本請求項４に係る考案は、請求項１乃至請求項３のいずれか１つに記載された工具ケースの構成に加えて、前記ケース部が、所定方向において所定方向に対する幅方向および厚み方向と比べて長尺であり、前記所定方向における中央を基準とした一端側の浮力材の体積が、他端側の浮力材の体積より大きく、前記ケース部が、前記一端側における外側に反射材を有している構成であることにより、前述した課題をさらに解決するものである。
【００１０】
本請求項５に係る考案は、請求項１乃至請求項４のいずれか１つに記載された工具ケースの構成に加えて、前記ケース部の外側に工具を示すピクトグラムが表示されていることにより、前述した課題をさらに解決するものである。
【考案の効果】
【００１１】
本考案の工具ケースは、ケース部を備えていることにより、ケース部の内側に工具を収納することができるばかりでなく、以下のような特有の効果を奏することができる。
【００１２】
本請求項１に係る考案の工具ケースによれば、万が一水難に遭った場合であっても工具を収納した工具ケースが水に浮くため、ユーザーは水難時に工具ケースを簡単に見つけることができる。
【００１３】
本請求項２に係る考案の工具ケースによれば、請求項１に係る考案が奏する効果に加えて、ケース部が、所謂、ソフトケースであり止水ファスナーにより開閉自在となって、例えばハードケースのパッキンで生じるような固着がなく水難時に固着で開けられないというリスクがないため、ユーザーは水難時に開口を簡単に開けて工具と取り出すことができる。
さらに、中身の工具をケース部の内側から取り出してケース部の内側に浮力材を残すと浮き袋のようになるため、工具ケースを救命具として使用することができる。
また、ケース部が、所謂、ソフトケースとなるが、板状の浮力材が、ケースの骨格を形成してフレームの役割を果たすため、ソフトケースであっても工具ケースの全体の形状を安定させることができる。
【００１４】
本請求項３に係る考案の工具ケースによれば、請求項２に係る考案が奏する効果に加えて、ユーザーが背中にケース部を背負ったときに一対の肩ベルトがユーザーの両肩にかかるため、ユーザーはリュックタイプの工具ケースとして工具ケースを背中に背負って簡単に持ち運ぶことができる。
さらに、工具とユーザーの背中との間に浮力材が位置するため、工具の角などが直接ケース部を介してユーザーに当たることを回避してユーザーが工具ケースを背負って持ち運びしやすくすることができる。
【００１５】
本請求項４に係る考案の工具ケースによれば、請求項１乃至請求項３のいずれか１つに係る考案が奏する効果に加えて、工具ケースが水に浮いているとき、浮力の大小関係により工具ケースの一端側の位置が他端側より高い姿勢となり、工具ケースが単に水平方向に沿って浮いた場合と比べて、水に浮いて水面よりわずかに上の位置に顔があるユーザーや水面より高い場所にいるユーザーにとって視認しやすくなるため、ユーザーは水に浮いている工具ケースを簡単に発見することができる。
さらに、夕方や夜間や屋内など暗いときであっても、水面より上に反射材が位置するため、ユーザーはサーチライトなどの灯りを水に浮いている工具ケースの反射材に当てて工具ケースを簡単に発見することができる。
【００１６】
本請求項５に係る考案の工具ケースによれば、請求項１乃至請求項４のいずれか１つに係る考案が奏する効果に加えて、漢字やカタカナなどの文字では外国の方などにとって文字を読めない場合があるが、ピクトグラムにすることにより大人であれば誰にとっても工具ケースの中身が想像可能となるため、ユーザーは水に浮いている工具ケースを発見したときに工具ケースの中身を知ることができる。
【図面の簡単な説明】
【００１７】
【図１】（Ａ）（Ｂ）は本考案の実施例である工具ケースのユーザーが背負ったときの後方から視た図および前方から視た図。
【図２】本考案の実施例である工具を収納していない状態の工具ケースを開けたときの様子を示す図。
【図３】本考案の実施例である工具を収納している状態の工具ケースを開けたときの様子を示す図。
【図４】（Ａ）（Ｂ）は本発明の実施例である工具ケースが水に浮かんでいる様子を後方から視た図および側方から視た図。
【考案を実施するための形態】
【００１８】
本考案の工具ケースは、内側に工具を収納するケース部を備え、ケース部が、開閉自在に設けられ、ケース部の内側に発泡樹脂で形成した浮力材を有し、浮力材が、ケース部と工具との間に配設されていることにより、ユーザーは水難時に工具ケースを簡単に見つけることができるものであれば、その具体的な実施態様は、如何なるものであっても構わない。
【００１９】
例えば、ケース部は、防水コーティングされたものや、防水素材で形成されたものなどの防水仕様でもよいが、防水仕様でないものでもよい。
さらに、ケース部は、樹脂を硬化させて形成した所謂、ハードケース（ハードタイプ、フレームタイプ）でもよいし、変形自在なシート状素材で形成した所謂、ソフトケース（ソフトタイプ）でもよい。
また、浮力材は、エチレン酢酸ビニルコポリマー（ＥＶＡ）、高密度ポリエチレン、発泡ポリエチレン、発泡ウレタンなどの発泡樹脂で形成され、水に浸かった際に浮力を発生するものであれば如何なるものであっても構わない。
さらに、工具は、ドライバー、ハンマー、ロープ、バール、チェーン切り、レンチ、ショベル（スコップ）、アックス（斧）など災害時に人命救助のために使用しそうなものであれば如何なるものであっても構わない。
【実施例】
【００２０】
以下に、本考案の実施例である工具ケース１００について、図１（Ａ）乃至図４（Ｂ）に基づいて説明する。
ここで、図１（Ａ）は、本考案の実施例である工具ケース１００のユーザーが背負ったときの後方から視た図であり、図１（Ｂ）は、本考案の実施例である工具ケース１００のユーザーが背負ったときの前方から視た図であり、図２は、本考案の実施例である工具ＴＬを収納していない状態の工具ケース１００を開けたときの様子を示す図であり、図３は、本考案の実施例である工具ＴＬを収納している状態の工具ケース１００を開けたときの様子を示す図であり、図４（Ａ）は、本発明の実施例である工具ケース１００が水ＷＴに浮かんでいる様子を後方から視た図であり、図４（Ｂ）は、図４（Ａ）に示す符号４Ｂから視た図である。
【００２１】
本考案の実施例である工具ケース１００は、図１（Ａ）〜図３に示すように、内側に工具ＴＬを収納するケース部１１０を備えている。
本実施例では、ケース部１１０は、防水機能を有したシート状素材により形成された所謂、ソフトタイプである。
より具体的には、ターポリンと呼ばれるシート状素材である。
これは、布や織物に塩ビシートを貼り合せたり、挟み込めたり、塩ビ塗料を塗布させたりして 加工させた塩化ビニル系多層素材であって、ポリエステルやナイロンなどの合成繊維の織物の両面に塩ビ樹脂を積層したシートである。
【００２２】
なお、技術的思想として、ケース部１１０は、堅い樹脂で形成された所謂、ハードタイプでもよい。
図２に示すように、ケース部１１０の開口１１１は、止水ファスナー１１２で開け閉め自在に設けられている。
ケース部１１０における開口１１１の位置や大きさは、工具ＴＬを出し入れ自在な程度であれば、如何なるものでもよい。
また、図１（Ａ）および図１（Ｂ）に示すように、ケース部１１０には、一対の肩ベルト１１３が設けられている。
そして、一対の肩ベルト１１３には、一例として、前留め具１１３ａが取り付けられている。
また、ケース部１１０の上部には、取っ手１１４が取り付けられている。
ケース部１１０の寸法については、ケース長さ（縦の高さ）が４００〜６００ｍｍ、幅が２２０〜４２０ｍｍ、前後方向の厚みが、６０〜２６０ｍｍ程度である。
【００２３】
本実施例では、図２および図３に示すように、ケース部１１０が、開閉自在に設けられ、ケース部１１０の内側に発泡樹脂で形成した浮力材１２０を有している。
そして、浮力材１２０が、ケース部１１０と工具ＴＬとの間に配設されている。
より具体的には、浮力材１２０は、板状に形成されて、ケース部１１０の六面に配設されている。
なお、ユーザーが背負ったときの特に側方となる左側面、右側面、底面、上面に配設された浮力材１２０は、見栄えをよくするためにケース部１１０の内側においてカバーで覆われている。
前面、後面に配設される浮力材１２０を、カバーで覆ってもよいのは勿論である。
【００２４】
これにより、図４（Ａ）および図４（Ｂ）に示すように、万が一水難に遭った場合であっても工具ＴＬを収納した工具ケース１００が水ＷＴに浮く。
その結果、ユーザーは水難時に工具ケース１００を簡単に見つけることができる。
なお、浮力材１２０の体積については、ケース部１１０の内側に収納する工具ＴＬの数およびその重さを考慮して設定される。
つまり、浮力材１２０による浮力は、工具ＴＬの総重量およびケース部１１０に作用する自重より大きい関係が成立するように、浮力材１２０の体積が決められている。
【００２５】
一例として、工具ＴＬの総重量が、約６ｋｇ（６０ｋＮ）として、本実施例の浮力材１２０の体積を約０．０１１立方メートル（１１０００立方センチメートル）としてこの浮力材１２０による浮力は、約１１ｋｇ（１１０ｋＮ）程度である。
また、浮力材１２０の重さは、工具ＴＬの重さと比べて非常に軽いため、考慮しなくてもよい。
さらに、仮に、水難時に水ＷＴがケース部１１０の内側に浸入した場合であっても、浮力材１２０による浮力により工具ケース１００が水ＷＴに浮く。
【００２６】
また、ケース部１１０の内側には、工具保持用ベルト１１５が設けられている。
より具体的には、工具保持用ベルト１１５が、適宜、ケース部１１０の内側に一例として縫い付けられている。
そして、図３に示すように、工具保持用ベルト１１５が、ロープ、ハンマー、ショベル、カッター、チェーン切り、ペンチ、アックス、レンチ、ドライバーなどの工具ＴＬを保持するように設けられている。
また、ケース部１１０は、一例として上下方向に大きく開く所謂、全開き構造であるため、大きな工具ＴＬを簡単に出し入れすることができる。
【００２７】
さらに、本実施例では、ケース部１１０が、防水機能を有したシート状素材により開口１１１を有した袋形状に形成されている。
そして、開口１１１が、止水ファスナー１１２を有して開閉自在に設けられている。
さらに、浮力材１２０が、板状に形成されてケース部１１０の内側に配設されている。
これにより、ケース部１１０が、所謂、ソフトケースであり止水ファスナー１１２により開閉自在となって、例えばハードケースのパッキンで生じるような固着がなく水難時に固着で開けられないというリスクがない。
その結果、ユーザーは水難時に開口１１１を簡単に開けて工具ＴＬと取り出すことができる。
【００２８】
さらに、中身の工具ＴＬをケース部１１０の内側から取り出してケース部１１０の内側に浮力材１２０を残すと浮き袋のようになる。
その結果、工具ケース１００を救命具として使用することができる。
つまり、溺れそうな水難者に対して、工具ＴＬを取り出した状態の工具ケース１００を投げて、水難者に捕まらせて、助けることができる。
このとき、工具ＴＬを取り出した状態の工具ケース１００にロープを繋げてから投げてもよい。
また、ケース部１１０が、所謂、ソフトケースとなるが、板状の浮力材１２０が、ケースの骨格を形成してフレームの役割を果たす。
その結果、ソフトケースであっても工具ケース１００の全体の形状を安定させることができる。
【００２９】
また、本実施例では、ケース部１１０が、一対の肩ベルト１１３を備えている。
これにより、ユーザーが背中にケース部１１０を背負ったときに一対の肩ベルト１１３がユーザーの両肩にかかる。
その結果、ユーザーはリュックタイプの工具ケース１００として工具ケース１００を背中に背負って簡単に持ち運ぶことができる。
さらに、工具ＴＬとユーザーの背中との間に浮力材１２０が位置する。
その結果、工具ＴＬの角などが直接ケース部１１０を介してユーザーに当たることを回避してユーザーが工具ケース１００を背負って持ち運びしやすくすることができる。
【００３０】
また、本実施例では、ケース部１１０が、所定方向であるケース長さ方向Ｌにおいてケース長さ方向Ｌに対する幅方向Ｗおよび厚み方向Ｔと比べて長尺である。
そして、ケース長さ方向Ｌにおける中央を基準としたケース部１１０の一端側１１６の浮力材１２０の体積が、ケース部１１０の他端側１１７の浮力材１２０の体積より大きく設けられている。
さらに、図１（Ａ）に示すように、ケース部１１０が、一端側１１６における外側に反射材１１８を有している。
【００３１】
これにより、図４（Ａ）および図４（Ｂ）に示すように、工具ケース１００が水ＷＴに浮いているとき、浮力の大小関係により工具ケース１００の一端側１１６の位置が他端側１１７より高い姿勢となり、工具ケース１００が単に水平方向に沿って浮いた場合と比べて、水ＷＴに浮いて水面よりわずかに上の位置に顔があるユーザーや水面より高い場所にいるユーザーにとって視認しやすくなる。
その結果、ユーザーは水ＷＴに浮いている工具ケース１００を簡単に発見することができる。
さらに、夕方や夜間や屋内など暗いときであっても、水面より上に反射材１１８が位置する。
その結果、ユーザーはサーチライトなどの灯りを水ＷＴに浮いている工具ケース１００の反射材１１８に当てて工具ケース１００を簡単に発見することができる。
【００３２】
なお、反射材１１８は、ケース部１１０の上面にも設けられている。
また、図示していないが、一対の肩ベルト１１３に反射材１１８を設けてもよい。
さらに、ケース部１１０の内側に収納する工具ＴＬの重量バランスについては、リュックサックとしてユーザーが背負いやすいようにする目的、および、ケース部１１０の一端側１１６が他端側１１７より高い姿勢となるようにする目的のために、可能な限り大きな偏りのないように工具ＴＬが配置されているものとする。
つまり、浮力材１２０の体積の大小関係は、内側に配置される工具ＴＬの重量バランスをも考慮されている。
また、ケース長さ方向Ｌにおける中央を基準としたケース部１１０の一端側１１６、ケース部１１０の他端側１１７の浮力材の体積の関係だけでなく、厚み方向Ｔにおける中央を基準としたピクトグラム１１９の表示側および反射板１１８の設置側である一端側、一対の肩ベルト１１３の設置側である他端側の浮力材の体積に差を設けてもよい。
より具体的には、厚み方向Ｔにおけるピクトグラム１１９の表示側である一端側の浮力材の体積を、一対の肩ベルト１１３の設置側である他端側の浮力材の体積より大とする。
これにより、工具ケース１００が水ＷＴに浮いているとき、浮力の大小関係により工具ケース１００の姿勢が鉛直および水平に対してより確実に傾いた姿勢となる。
つまり、工具ケース１００がピクトグラム１１９を斜め上に向けて傾いた姿勢で浮く。
その結果、ユーザーは水ＷＴに浮いている工具ケース１００をより簡単に発見することができる。
【００３３】
さらに、図１（Ａ）および図４（Ａ）に示すように、本実施例では、ケース部１１０の外側に工具ＴＬを示すピクトグラム１１９が表示されている。
本実施例では、一例として、ケース部１１０の外側におけるユーザーが背負ったときの後方となる面に、ピクトグラム１１９が表示されている。
これにより、漢字やカタカナなどの文字では外国の方などにとって文字を読めない場合があるが、ピクトグラム１１９にすることにより大人であれば誰にとっても工具ケース１００の中身が想像可能となる。
その結果、ユーザーは水ＷＴに浮いている工具ケース１００を発見したときに工具ケース１００の中身を知ることができる。
【００３４】
このようにして得られた本考案の実施例である工具ケース１００は、内側に工具ＴＬを収納するケース部１１０を備え、ケース部１１０が、開閉自在に設けられ、ケース部１１０の内側に発泡樹脂で形成した浮力材１２０を有し、浮力材１２０が、ケース部１１０と工具ＴＬとの間に配設されていることにより、ユーザーは水難時に工具ケース１００を簡単に見つけることができる。
【００３５】
さらに、ケース部１１０が、防水機能を有したシート状素材により開口１１１を有した袋形状に形成され、開口１１１が、止水ファスナー１１２を有して開閉自在に設けられ、浮力材１２０が、板状に形成されてケース部１１０の内側に配設されていることにより、ユーザーは水難時に開口１１１を簡単に開けて工具ＴＬと取り出すことができ、さらに、工具ケース１００を救命具として使用することができ、ソフトケースであっても工具ケース１００の全体の形状を安定させることができる。
【００３６】
また、ケース部１１０が、一対の肩ベルト１１３を備えていることにより、ユーザーはリュックタイプの工具ケース１００として工具ケース１００を背中に背負って簡単に持ち運ぶことができ、さらに、工具ＴＬの角などが直接ケース部１１０を介してユーザーに当たることを回避してユーザーが工具ケース１００を背負って持ち運びしやすくすることができる。
【００３７】
さらに、ケース部１１０が、所定方向であるケース長さ方向Ｌにおいてケース長さ方向Ｌに対する幅方向Ｗおよび厚み方向Ｔと比べて長尺であり、ケース長さ方向Ｌにおける中央を基準とした一端側１１６の浮力材１２０の体積が、他端側１１７の浮力材１２０の体積より大きく、ケース部１１０が、一端側１１６における外側に反射材１１８を有している構成であることにより、ユーザーは水ＷＴに浮いている工具ケース１００を簡単に発見することができ、さらに、ユーザーはサーチライトなどの灯りを水ＷＴに浮いている工具ケース１００の反射材１１８に当てて工具ケース１００を簡単に発見することができる。
【００３８】
また、ケース部１１０の外側に工具ＴＬを示すピクトグラム１１９が表示されていることにより、ユーザーは水ＷＴに浮いている工具ケース１００を発見したときに工具ケース１００の中身を知ることができるなど、その効果は甚大である。
【符号の説明】
【００３９】
１００  ・・・  工具ケース
１１０  ・・・  ケース部
１１１  ・・・  開口
１１２  ・・・  止水ファスナー
１１３  ・・・  一対の肩ベルト
１１３ａ・・・  前留め具
１１４  ・・・  取っ手
１１５  ・・・  工具保持用ベルト
１１６  ・・・  （ケース部の）一端側
１１７  ・・・  （ケース部の）他端側
１１８  ・・・  反射材
１１９  ・・・  ピクトグラム
１２０  ・・・  浮力材
ＴＬ    ・・・  工具
Ｌ      ・・・  長さ方向（所定方向）
Ｗ      ・・・  幅方向
Ｔ      ・・・  厚み方向
ＷＴ    ・・・  水
【図１】
0003232066.tif 000003
【図２】
0003232066.tif 000004
【図３】
0003232066.tif 000005
【図４】
0003232066.tif 000006